(57)【要約】  本発明は浄水器の殺菌システムであって、浄水器の細菌に対する弱点であるフィルター、貯水槽、冷却槽、温水槽及びそれと連結された各部ライン、また水栓ノズル部までの内部を殺菌することができるシステムで、熱湯、スチームに殺菌することを特徴とし、効果的に殺菌することができて非常に清潔な浄水器を使うことができる。
2012529337.tif 000002
【特許請求の範囲】
【請求項１】
原水入水口（５）、電磁弁手段（６）、３口フィッティング連結手段（７）、廃水電磁弁手段（８）、フィルター手段（９）、電磁弁手段（１０）、４口フィッティング連結手段（１１）、スチーム電磁弁手段（１２）、スチーム３口フィッティング連結手段（１３）、廃水電磁弁手段（１４）、廃水３口フィッティング連結手段（１５）、電磁弁手段（１６）、入力ポンプ手段（１７）、電磁弁手段（１８）、４口フィッティング連結手段（１９）、スチーム電磁弁手段（２０）、スチーム３口フィッティング連結手段（２１）、廃水電磁弁手段（２２）、廃水３口フィッティング連結手段（２３）、電磁弁手段（２４）、フィルター手段（２５）、電磁弁手段（２６）、４口フィッティング連結手段（２７）、スチーム電磁弁手段（２８）、スチーム３口フィッティング連結手段（２９）、廃水電磁弁手段（３０）、廃水３口フィッティング連結手段（３１）、電磁弁手段（３２）、フィルター手段（３３）、チェックバルブ手段（３５）、圧力スィッチ手段（３６）、電磁弁手段（３７）、４口フィッティング連結手段（３８）、スチーム電磁弁手段（３９）、スチーム３口フィッティング連結手段（４０）、廃水電磁弁手段（４１）、廃水３口フィッティング連結手段（４２）、電磁弁手段（４３）、フィルター手段（４４）、自動開閉手段（４５）、スチーム電磁弁手段（４６）、廃水３口フィッティング連結手段（４７）、廃水抵抗手段（４８）、廃水流出口（４９）、電磁弁手段（５０）、３口フィッティング連結手段（５１）、電磁弁手段（５２）、３口フィッティング連結手段（５３）、電磁弁手段（５４）、スチーム装置手段（５５）、３口フィッティング連結手段（５６）、電磁弁手段（５７）、貯水筒手段（５８）、内部空間部（５９）、流入口（６０）、垂直ボールトップ手段（６１）、流出口（６２）、３口フィッティング連結手段（６３）、電磁弁手段（６４）、冷水筒手段（６５）、内部空間部（６６）、流入口（６７）、垂直ボールトップ手段（６８）、流出口（６９）、電磁弁手段（７０）、水栓ボタンスイッチ（７１）、水栓レバースイッチ（７２）、水栓ノズル部（７３）、流出口（７４）、電磁弁手段（７５）、温水筒手段（７６）、内部空間部（７７）、流入口（７８）、垂直ボールトップ手段（７９）、流出口（８０）、電磁弁手段（８１）、水栓ボタンスイッチ（８２）、水栓レバースイッチ（８３）、水栓ノズル部（８４）、流出口（８５）、電磁弁手段（８６）、３口フィッティング連結手段（８７）、３口フィッティング連結手段（８８）、ポンプ手段（８９）、廃水電磁弁手段（９０）、浄水器ホース手段（１００）を具備して、
複数の電磁弁手段を各フィルターの間と各構成品の間に具備して制御ができるようにするもので、各部品の間には浄水器ホース手段（１００）で連結されて、その内部に水が流れるかまたはスチームが通ることができるようにし、原水入水口（５）は電磁弁手段（６）と連結され、電磁弁手段（６）は３口フィッティング連結手段（７）に連結されて二つに分けられ、原水はフィルター手段（９）、廃水電磁弁手段（８）に連結されて廃水ライン方向に流れることができるように備えられて廃水ラインに構成された廃水３口フィッティング連結手段（１５）、廃水３口フィッティング連結手段（２３）、廃水３口フィッティング連結手段（３１）、廃水３口フィッティング連結手段（４２）、廃水３口フィッティング連結手段（４７）、廃水抵抗手段（４８）を経て廃水流出口（４９）から出ることができるように備え、フィルター手段（９）で浄水された水は電磁弁手段（１０）を経て、４口フィッティング連結手段（１１）で四方向に連結口が備えられて何れの方向にも連結され、廃水電磁弁手段（１４）を経ると廃水ラインの廃水３口フィッティング連結手段（１５）に連結されて廃水流出口（４９）に連結され、スチーム電磁弁手段（１２）を経るとスチーム３口フィッティング連結手段（１３）、スチーム３口フィッティング連結手段（２１）、スチーム３口フィッティング連結手段（２９）、スチーム３口フィッティング連結手段（４０）のスチーム連結口に連結されて、目的どおりスチーム装置手段（５５）に連結され、４口フィッティング連結手段（１１）から電磁弁手段（１６）を経ると入力ポンプ手段（１７）を経て電磁弁手段（１８）に連結され、４口フィッティング連結手段（１９）と連結されて四方向に連結口が備えられ、廃水電磁弁手段（２２）に連結されると廃水３口フィッティング連結手段（２３）に連結されて廃水流出口（４９）に連結され、４口フィッティング連結手段（１９）からスチーム電磁弁手段（２０）に連結されるとスチーム３口フィッティング連結手段（２１）に連結されてスチーム装置手段（５５）に連結され、４口フィッティング連結手段（１９）から電磁弁手段（２４）に連結されるとフィルター手段（２５）に連結され、電磁弁手段（２６）を経て４口フィッティング連結手段（２７）で四方向に連結され、廃水電磁弁手段（３０）に連結されると廃水３口フィッティング連結手段（３１）に連結されて廃水流出口（４９）方向に連結され、４口フィッティング連結手段（２７）からスチーム電磁弁手段（２８）に連結されるとスチーム３口フィッティング連結手段（２９）に連結されてスチーム装置手段（５５）に連結され、４口フィッティング連結手段（２７）から電磁弁手段（３２）を経るとフィルター手段（３３）に連結され、必要によってチェックバルブ手段（３５）、圧力スィッチ手段（３６）などが備えられ、電磁弁手段（３７）を経て４口フィッティング連結手段（３８）に連結され、四方向に連結口が備えられ、４口フィッティング連結手段（３８）から廃水電磁弁手段（４１）を経ると廃水３口フィッティング連結手段（４２）に連結されて廃水流出口（４９）方向に連結され、４口フィッティング連結手段（３８）からスチーム電磁弁手段（３９）を通じてスチーム３口フィッティング連結手段（４０）に連結されてスチーム装置手段（５５）に連結され、４口フィッティング連結手段（３８）から電磁弁手段（４３）、フィルター手段（４４）に連結され、必要によって自動開閉手段（４５）を通じてスチーム電磁弁手段（４６）と連結してスチーム装置手段（５５）に連結され、スチーム３口フィッティング連結手段（４０）、スチーム３口フィッティング連結手段（２９）、スチーム３口フィッティング連結手段（２１）、スチーム３口フィッティング連結手段（１３）に連結されて、電磁弁手段（５０）を通じて３口フィッティング連結手段（５１）からスチーム装置手段（５５）と連結され、スチーム装置手段（５５）は電気加熱手段によって電流量を少なくするとスチーム装置手段（５５）に流れる水は直ちに熱湯になって流れ、電流をたくさん流れるようにして高い熱量を有するようにして直ちにスチームに変えることができるようにして、浄水器ホース手段（１００）、フィルター手段（９）、フィルター手段（２５）、フィルター手段（３３）、フィルター手段（４４）をスチームで殺菌作動するようにすることを特徴とする浄水器のスチーム殺菌システム。
【請求項２】
原水入水口（５）、電磁弁手段（６）、３口フィッティング連結手段（７）、廃水電磁弁手段（８）、フィルター手段（９）、電磁弁手段（１０）、４口フィッティング連結手段（１１）、スチーム電磁弁手段（１２）、スチーム３口フィッティング連結手段（１３）、廃水電磁弁手段（１４）、廃水３口フィッティング連結手段（１５）、電磁弁手段（１６）、入力ポンプ手段（１７）、電磁弁手段（１８）、４口フィッティング連結手段（１９）、スチーム電磁弁手段（２０）、スチーム３口フィッティング連結手段（２１）、廃水電磁弁手段（２２）、廃水３口フィッティング連結手段（２３）、電磁弁手段（２４）、フィルター手段（２５）、電磁弁手段（２６）、４口フィッティング連結手段（２７）、スチーム電磁弁手段（２８）、スチーム３口フィッティング連結手段（２９）、廃水電磁弁手段（３０）、廃水３口フィッティング連結手段（３１）、電磁弁手段（３２）、フィルター手段（３３）、チェックバルブ手段（３５）、圧力スィッチ手段（３６）、電磁弁手段（３７）、４口フィッティング連結手段（３８）、スチーム電磁弁手段（３９）、スチーム３口フィッティング連結手段（４０）、廃水電磁弁手段（４１）、廃水３口フィッティング連結手段（４２）、電磁弁手段（４３）、フィルター手段（４４）、自動開閉手段（４５）、スチーム電磁弁手段（４６）、廃水３口フィッティング連結手段（４７）、廃水抵抗手段（４８）、廃水流出口（４９）、電磁弁手段（５０）、３口フィッティング連結手段（５１）、電磁弁手段（５２）、３口フィッティング連結手段（５３）、電磁弁手段（５４）、スチーム装置手段（５５）、３口フィッティング連結手段（５６）、電磁弁手段（５７）、貯水筒手段（５８）、内部空間部（５９）、流入口（６０）、垂直ボールトップ手段（６１）、流出口（６２）、３口フィッティング連結手段（６３）、電磁弁手段（６４）、冷水筒手段（６５）、内部空間部（６６）、流入口（６７）、垂直ボールトップ手段（６８）、流出口（６９）、電磁弁手段（７０）、水栓ボタンスイッチ（７１）、水栓レバースイッチ（７２）、水栓ノズル部（７３）、流出口（７４）、電磁弁手段（７５）、温水筒手段（７６）、内部空間部（７７）、流入口（７８）、垂直ボールトップ手段（７９）、流出口（８０）、電磁弁手段（８１）、水栓ボタンスイッチ（８２）、水栓レバースイッチ（８３）、水栓ノズル部（８４）、流出口（８５）、電磁弁手段（８６）、３口フィッティング連結手段（８７）、３口フィッティング連結手段（８８）、ポンプ手段（８９）、廃水電磁弁手段（９０）、浄水器ホース手段（１００）を備え、
スチーム装置手段（５５）は３口フィッティング連結手段（５６）を経て電磁弁手段（５７）を通じて貯水筒手段（５８）に連結され、貯水筒手段（５８）の内部空間部（５９）に備えられている流入口（６０）に連結されて、垂直ボールトップ手段（６１）で水の流れを制御することができるようにし、内部空間部（５９）に設けられた流出口（６２）から３口フィッティング連結手段（６３）を経て冷水筒手段（６５）と温水筒手段（７６）に分けられて連結され、冷水筒手段（６５）との間には電磁弁手段（６４）を連結して備えることができ、冷水筒手段（６５）は内部空間部（６６）で流入口（６７）から入る水を垂直ボールトップ手段（６８）で制御し、流出口（６９）を通じて電磁弁手段（７０）で制御されて水栓ノズル部（７３）から涼しい浄水された水を出して使用し、水栓ボタンスイッチ（７１）、水栓レバースイッチ（７２）を作動させて、電磁弁手段（７０）を開閉することができ、浄水器のコントロールによっても電磁弁手段（７０）を開閉することができる制御手段が備えられ、内部空間部（６６）で流出口（７４）を通じて電磁弁手段（７５）を通じて連結されて、３口フィッティング連結手段（８８）を通じてスチーム装置手段（５５）の方向と廃水電磁弁手段（９０）を通じて廃水流出口（４９）と連結され、３口フィッティング連結手段（６３）から温水筒手段（７６）に連結されて内部空間部（７７）の流入口（７８）に連結されて、垂直ボールトップ手段（７９）で制御され、流出口（８０）を通じて電磁弁手段（８１）で制御されて水栓ノズル部（８４）で温水を出して使うことができ、水栓ボタンスイッチ（８２）、水栓レバースイッチ（８３）の作動によって電磁弁手段（８１）を開いて温水を出すことができ、浄水器のコントロールによっても電磁弁手段（８１）を開閉することができ、内部空間部（７７）で流出口（８５）を通じて電磁弁手段（８６）を経て３口フィッティング連結手段（８７）で両方向に分けられて、廃水流出口（４９）を通じてポンプ手段（８９）と３口フィッティング連結手段（５３）を通じて電磁弁手段（５２）、電磁弁手段（５４）を経て何れの方向でもスチーム装置手段（５５）に連結され、貯水筒手段（５８）、冷水筒手段（６５）、温水筒手段（７６）の水は廃水流出口（４９）から直ちに出すことができ、スチーム装置手段（５５）に送ることができてスチームに作ることができることを特徴とする浄水器のスチーム殺菌システム。
【請求項３】
浄水器であって原水入水口（５）、電磁弁手段（６）、３口フィッティング連結手段（７）、廃水電磁弁手段（８）、フィルター手段（９）、電磁弁手段（１０）、４口フィッティング連結手段（１１）、スチーム電磁弁手段（１２）、スチーム３口フィッティング連結手段（１３）、廃水電磁弁手段（１４）、廃水３口フィッティング連結手段（１５）、電磁弁手段（１６）、入力ポンプ手段（１７）、電磁弁手段（１８）、４口フィッティング連結手段（１９）、スチーム電磁弁手段（２０）、スチーム３口フィッティング連結手段（２１）、廃水電磁弁手段（２２）、廃水３口フィッティング連結手段（２３）、電磁弁手段（２４）、フィルター手段（２５）、電磁弁手段（２６）、４口フィッティング連結手段（２７）、スチーム電磁弁手段（２８）、スチーム３口フィッティング連結手段（２９）、廃水電磁弁手段（３０）、廃水３口フィッティング連結手段（３１）、電磁弁手段（３２）、フィルター手段（３３）、チェックバルブ手段（３５）、圧力スィッチ手段（３６）、電磁弁手段（３７）、４口フィッティング連結手段（３８）、スチーム電磁弁手段（３９）、スチーム３口フィッティング連結手段（４０）、廃水電磁弁手段（４１）、廃水３口フィッティング連結手段（４２）、電磁弁手段（４３）、フィルター手段（４４）、自動開閉手段（４５）、スチーム電磁弁手段（４６）、廃水３口フィッティング連結手段（４７）、廃水抵抗手段（４８）、廃水流出口（４９）、電磁弁手段（５０）、３口フィッティング連結手段（５１）、電磁弁手段（５２）、３口フィッティング連結手段（５３）、電磁弁手段（５４）、スチーム装置手段（５５）、３口フィッティング連結手段（５６）、電磁弁手段（５７）、貯水筒手段（５８）、内部空間部（５９）、流入口（６０）、垂直ボールトップ手段（６１）、流出口（６２）、３口フィッティング連結手段（６３）、電磁弁手段（６４）、冷水筒手段（６５）、内部空間部（６６）、流入口（６７）、垂直ボールトップ手段（６８）、流出口（６９）、電磁弁手段（７０）、水栓ボタンスイッチ（７１）、水栓レバースイッチ（７２）、水栓ノズル部（７３）、流出口（７４）、電磁弁手段（７５）、温水筒手段（７６）、内部空間部（７７）、流入口（７８）、垂直ボールトップ手段（７９）、流出口（８０）、電磁弁手段（８１）、水栓ボタンスイッチ（８２）、水栓レバースイッチ（８３）、水栓ノズル部（８４）、流出口（８５）、電磁弁手段（８６）、３口フィッティング連結手段（８７）、３口フィッティング連結手段（８８）、ポンプ手段（８９）、廃水電磁弁手段（９０）、浄水器ホース手段（１００）を備え、
電磁弁手段（６）を駆動させて閉まるようにして原水を遮断し、また電磁弁手段（１０）、電磁弁手段（１８）、電磁弁手段（２６）、電磁弁手段（３７）を駆動させて閉まるようにし、廃水電磁弁手段（４１）を駆動させて開かれるようにして廃水流出口（４９）の方向に連結し、電磁弁手段（５７）を駆動させて閉まるようにしてスチームが貯水筒手段（５８）の方向に行くことを遮断し、スチーム装置手段（５５）を駆動させて加熱しながら電磁弁手段（７５）、電磁弁手段（８６）と電磁弁手段（５４）を駆動させて開かれるようにして貯水筒手段（５８）の内部空間部（５９）の水と冷水筒手段（６５）の内部空間部（６６）の水と温水筒手段（７６）の内部空間部（７７）の水がスチーム装置手段（５５）に連結されるようにし、ポンプ手段（８９）を駆動させると貯水筒手段（５８）、冷水筒手段（６５）、温水筒手段（７６）の水がスチーム装置手段（５５）に浄化の時とは逆方向に入ってスチームに変化されて、３口フィッティング連結手段（５１）、電磁弁手段（５０）、スチーム３口フィッティング連結手段（１３）、スチーム３口フィッティング連結手段（２１）、スチーム３口フィッティング連結手段（２９）、スチーム３口フィッティング連結手段（４０）、スチーム電磁弁手段（４６）、自動開閉手段（４５）、フィルター手段（４４）に逆方向に流れて殺菌をし、特にフィルター手段（４４）を殺菌をすることはもちろんフィルターに付着している異物まで逆方向に押し出して電磁弁手段（４３）を経て４口フィッティング連結手段（３８）、廃水電磁弁手段（４１）、廃水３口フィッティング連結手段（４２）を経て殺菌をしながら異物などを廃水流出口（４９）に押し出し、フィルター手段（４４）の殺菌及び掃除が終わると、廃水電磁弁手段（４１）、電磁弁手段（４３）、スチーム電磁弁手段（４６）を閉め、廃水電磁弁手段（３０）、電磁弁手段（３２）、電磁弁手段（３７）、スチーム電磁弁手段（３９）を開いてスチーム３口フィッティング連結手段（４０）でスチームがスチーム電磁弁手段（３９）、４口フィッティング連結手段（３８）、電磁弁手段（３７）、圧力スィッチ手段（３６）、チェックバルブ手段（３５）、フィルター手段（３３）、電磁弁手段（３２）、４口フィッティング連結手段（２７）、廃水電磁弁手段（３０）、廃水３口フィッティング連結手段（３１）に連結されて、廃水流出口（４９）から殺菌しながら押し出し、特にフィルター手段（３３）に逆方向にスチームが流れながら殺菌することはもちろん、異物まで押し出して廃水流出口（４９）から押し出してきれいに殺菌及び掃除をし、フィルター手段（３３）の掃除が終わると、廃水電磁弁手段（３０）、電磁弁手段（３２）、スチーム電磁弁手段（３９）を閉め、廃水電磁弁手段（２２）、電磁弁手段（２４）、電磁弁手段（２６）、スチーム電磁弁手段（２８）を開いてスチーム３口フィッティング連結手段（２９）からスチームがスチーム電磁弁手段（２８）、４口フィッティング連結手段（２７）、電磁弁手段（２６）、フィルター手段（２５）、電磁弁手段（２４）、４口フィッティング連結手段（１９）、廃水電磁弁手段（２２）、廃水３口フィッティング連結手段（２３）に連結されて廃水流出口（４９）まで逆方向に押し出すことができるように連結され、特にスチームがフィルター手段（２５）を逆方向に通りながら殺菌するとともに、異物まで押し出してきれいに殺菌及び掃除をし、フィルター手段（２５）の掃除が終わると、廃水電磁弁手段（２２）、電磁弁手段（２４）、スチーム電磁弁手段（２８）を閉め、廃水電磁弁手段（１４）、電磁弁手段（１６）、電磁弁手段（１８）、スチーム電磁弁手段（２０）を開いてスチーム３口フィッティング連結手段（２１）でスチームが入るようにしてスチーム電磁弁手段（２０）、４口フィッティング連結手段（１９）、電磁弁手段（１８）、入力ポンプ手段（１７）、電磁弁手段（１６）、４口フィッティング連結手段（１１）、廃水電磁弁手段（１４）、廃水３口フィッティング連結手段（１５）に連結されて廃水流出口（４９）に連結されるようにして逆方向に殺菌しながら廃水流出口（４９）から押し出して入力ポンプ手段（１７）及びそのラインをスチーム殺菌をするようにし、掃除が終わると、廃水電磁弁手段（１４）、電磁弁手段（１６）、スチーム電磁弁手段（２０）を閉め、廃水電磁弁手段（８）、電磁弁手段（１０）、スチーム電磁弁手段（１２）を開いてスチームがスチーム３口フィッティング連結手段（１３）からスチーム電磁弁手段（１２）、４口フィッティング連結手段（１１）、電磁弁手段（１０）、フィルター手段（９）、３口フィッティング連結手段（７）、廃水電磁弁手段（８）、廃水３口フィッティング連結手段（１５）、廃水流出口（４９）に連結されて逆方向にスチームが流れて殺菌をすると同時に、掃除をすることができることを特徴とする浄水器のスチーム殺菌システム。
【請求項４】
原水入水口（５）、電磁弁手段（６）、３口フィッティング連結手段（７）、廃水電磁弁手段（８）、フィルター手段（９）、電磁弁手段（１０）、４口フィッティング連結手段（１１）、スチーム電磁弁手段（１２）、スチーム３口フィッティング連結手段（１３）、廃水電磁弁手段（１４）、廃水３口フィッティング連結手段（１５）、電磁弁手段（１６）、入力ポンプ手段（１７）、電磁弁手段（１８）、４口フィッティング連結手段（１９）、スチーム電磁弁手段（２０）、スチーム３口フィッティング連結手段（２１）、廃水電磁弁手段（２２）、廃水３口フィッティング連結手段（２３）、電磁弁手段（２４）、フィルター手段（２５）、電磁弁手段（２６）、４口フィッティング連結手段（２７）、スチーム電磁弁手段（２８）、スチーム３口フィッティング連結手段（２９）、廃水電磁弁手段（３０）、廃水３口フィッティング連結手段（３１）、電磁弁手段（３２）、フィルター手段（３３）、チェックバルブ手段（３５）、圧力スィッチ手段（３６）、電磁弁手段（３７）、４口フィッティング連結手段（３８）、スチーム電磁弁手段（３９）、スチーム３口フィッティング連結手段（４０）、廃水電磁弁手段（４１）、廃水３口フィッティング連結手段（４２）、電磁弁手段（４３）、フィルター手段（４４）、自動開閉手段（４５）、スチーム電磁弁手段（４６）、廃水３口フィッティング連結手段（４７）、廃水抵抗手段（４８）、廃水流出口（４９）、電磁弁手段（５０）、３口フィッティング連結手段（５１）、電磁弁手段（５２）、３口フィッティング連結手段（５３）、電磁弁手段（５４）、スチーム装置手段（５５）、３口フィッティング連結手段（５６）、電磁弁手段（５７）、貯水筒手段（５８）、内部空間部（５９）、流入口（６０）、垂直ボールトップ手段（６１）、流出口（６２）、３口フィッティング連結手段（６３）、電磁弁手段（６４）、冷水筒手段（６５）、内部空間部（６６）、流入口（６７）、垂直ボールトップ手段（６８）、流出口（６９）、電磁弁手段（７０）、水栓ボタンスイッチ（７１）、水栓レバースイッチ（７２）、水栓ノズル部（７３）、流出口（７４）、電磁弁手段（７５）、温水筒手段（７６）、内部空間部（７７）、流入口（７８）、垂直ボールトップ手段（７９）、流出口（８０）、電磁弁手段（８１）、水栓ボタンスイッチ（８２）、水栓レバースイッチ（８３）、水栓ノズル部（８４）、流出口（８５）、電磁弁手段（８６）、３口フィッティング連結手段（８７）、３口フィッティング連結手段（８８）、ポンプ手段（８９）、廃水電磁弁手段（９０）、浄水器ホース手段（１０）０を備え、
電磁弁手段（５０）、電磁弁手段（５４）を閉め、電磁弁手段（５２）、電磁弁手段（５７）を開いてスチームがフィルターライン方向には遮られ、スチーム装置手段（５５）から３口フィッティング連結手段（５６）、電磁弁手段（５７）に流れて貯水筒手段（５８）に流れるようにし、この時には内部空間部（５９）には水がないようにするために温水筒手段（７６）のみに水を少し残し、貯水筒手段（５８）、冷水筒手段（６５）には水を全部取り出し、水を全部取り出すためには電磁弁手段（６４）、電磁弁手段（７５）、廃水電磁弁手段（９０）を開いて廃水流出口（４９）から出るようにして内部空間部（５９）と、内部空間部（６６）を空けて、スチームで殺菌をすることができ、この時には電磁弁手段（７０）を開いて水栓ノズル部（７３）からスチームが出ながら殺菌をすることができることを特徴とする浄水器のスチーム殺菌システム。
【請求項５】
スチーム装置手段（５５）の過熱方式において、抵抗線とも呼ばれる熱線に電流を流して加熱する方式とスチーム装置手段（５５）の外部で電気誘導方式の高い周波数をかけて電気誘導方式で加熱することができるようにした請求項１乃至請求項４に記載の浄水器のスチーム殺菌システム。
【請求項６】
スチーム装置手段（５５）の温度を低下して、スチームではない熱湯を作って、請求項１乃至請求項４に記載の方式で掃除をすることができ、またはスチーム掃除ではない最初から熱湯で掃除をすることができることを特徴とする請求項１乃至請求項４に記載の浄水器のスチーム殺菌システム。
【請求項７】
スチーム装置手段（５５）の代わりに温水筒手段（７６）の熱湯で殺菌及び掃除をするかまたは温水筒手段（７６）の温度を高めてスチームを作って殺菌及び掃除をすることができる構成にするか、温水筒手段を別途に追加して電磁弁手段及び制御装置手段を備えて設置構成することを特徴とする請求項１乃至請求項４に記載の浄水器のスチーム殺菌システム。
【発明の詳細な説明】
【技術分野】
【０００１】
本発明は浄水器の殺菌システムである。浄水器は水を浄化して使う過程で時間が経つと細菌が繁殖するという短所がある。従って定期的に殺菌及び掃除をする必要がある。しかしながら、その作業が非常に煩雑で、一般人は作業をすることが事実上不可能であるぐらい技術力を要することから、定期的に専門Ａ／Ｓチームがフィルターの交換及び殺菌、洗浄をしてくれる実情でありながらも完璧な殺菌ができない。
【背景技術】
【０００２】
上記のような短所によって周期的にＴＶ放送媒体を通じて報道される言論によれば、浄水器のフィルター手段は細菌が繁殖して危ない水準に達した状態で一般消費者は使用している。浄水器の細菌繁殖に関する事実が放送される度に大問題として取り扱われるが、時間が経つにつれて忘れてしまいその深刻性が消えてしまう。
【発明の概要】
【発明が解決しようとする課題】
【０００３】
浄水器で最も重要な清潔を保持するために、浄水器内部の各種フィルター手段、貯水槽、冷却槽、温水槽に効果的に殺菌できる手段を設置することを目的とする。
【課題を解決するための手段】
【０００４】
本発明では上記のような問題を解決するために、浄化された水が流れるラインにスチーム発生器を設置して、そのスチームをフィルターライン、貯水槽、冷却槽、温水槽のラインに直接流れるようにして殺菌するようにした。
【発明の効果】
【０００５】
本発明の技術は、スチームが直接浄水ラインに沿ってフィルターライン、浄水槽、冷却槽、温水槽から水の出口まで流れながら効果的に殺菌をし、使用者の管理下で定期的にスチーム殺菌をすることによって、浄水器の細菌を殺菌し、且つフィルターラインにおける異物を取り除く効果も有して常に清潔な浄水器を利用することができる。
【図面の簡単な説明】
【０００６】
【図１】本発明の浄水器のスチーム殺菌システムのスチーム装置手段５５を利用して浄水器の各部にスチームまたは熱湯を送って殺菌することができる浄水器のスチーム殺菌システムの開示図である。
【図２】本発明の浄水器のスチーム殺菌システムで温水筒手段７６の熱湯を浄水器の各部に送って殺菌することができる浄水器のスチーム殺菌システムの開示図である。
【発明を実施するための形態】
【０００７】
以下、添付図面によって本発明の構成及び実施形態を詳しく説明すれば次の通りである。図１で、原水入水口５で入水される水は、フィルター手段９、フィルター手段２５、フィルター手段３３、フィルター手段４４を経て浄水された水を貯水筒手段５８と冷水筒手段６５、温水筒手段７６に保存し、必要によって水栓ノズル部７３、水栓ノズル部８４から出して使う浄水器において、本発明では次のような部品をさらに構成する。複数の電磁弁手段を各フィルターの間と各構成品の間に具備して制御できるようにし、上記したすべての部品は浄水器のホースで連結されていることを明らかにし、部品と部品との間に連結されている浄水器ホースに引用符号を付けて説明した方が正しいと思うが、返って示された図面が複雑になって説明を阻害する虞があることから引用符号を省略して浄水器ホース手段１００として説明する。本発明における各部品の間は浄水器ホース手段１００で連結されて、その内部に水が流れるものとし、またはスチームが通るものとする。従って、本発明の説明において、各部品を説明する際、浄水器ホース手段１００を挙げなくても各部品は浄水器ホース手段１００で連結されていることを明確にしておく。
【０００８】
原水入水口５は電磁弁手段６と連結され、電磁弁手段６は３口フィッティング連結手段７に連結されて二つに分岐され、原水はフィルター手段９、廃水電磁弁手段８に連結されて廃水ライン方向に流れることができるように具備されて、廃水ラインに構成された廃水３口フィッティング連結手段１５、廃水３口フィッティング連結手段２３、廃水３口フィッティング連結手段３１、廃水３口フィッティング連結手段４２、廃水３口フィッティング連結手段４７、廃水抵抗手段４８を経て廃水流出口４９から流れ出るように備えられる。
【０００９】
フィルター手段９で浄水された水は、電磁弁手段１０を経て４口フィッティング連結手段１１で四方向の連結口が備えられて何れの方向にも連結され、廃水電磁弁手段１４を経ると廃水ラインの廃水３口フィッティング連結手段１５に連結されて、廃水流出口４９に連結され、スチーム電磁弁手段１２を経るとスチーム３口フィッティング連結手段１３、スチーム３口フィッティング連結手段２１、スチーム３口フィッティング連結手段２９、スチーム３口フィッティング連結手段４０のスチーム連結口に連結されて、目的どおりスチーム装置手段５５に連結される。
【００１０】
４口フィッティング連結手段１１から電磁弁手段１６を経ると入力ポンプ手段１７を経て電磁弁手段１８及び４口フィッティング連結手段１９と連結されて四方向に連結口が備えられ、廃水電磁弁手段２２に連結されると廃水３口フィッティング連結手段２３に連結されて廃水流出口４９に連結され、４口フィッティング連結手段１９からスチーム電磁弁手段２０に連結されると、スチーム３口フィッティング連結手段２１に連結されると、スチーム装置手段５５に連結され、４口フィッティング連結手段１９から電磁弁手段２４に連結されるとフィルター手段２５に連結され、電磁弁手段２６を経て４口フィッティング連結手段２７から四方向に連結され、廃水電磁弁手段３０に連結されると廃水３口フィッティング連結手段３１に連結されて廃水流出口４９方向に連結され、４口フィッティング連結手段２７からスチーム電磁弁手段２８に連結されるとスチーム３口フィッティング連結手段２９に連結されてスチーム装置手段５５に連結され、４口フィッティング連結手段２７から電磁弁手段３２を経るとフィルター手段３３に連結され、必要によってチェックバルブ手段３５、圧力スィッチ手段３６などが具備され、電磁弁手段３７を経て４口フィッティング連結手段３８に連結され、四方向に連結口が具備される。
【００１１】
４口フィッティング連結手段３８から廃水電磁弁手段４１を経ると廃水３口フィッティング連結手段４２に連結されて廃水流出口４９方向に連結され、４口フィッティング連結手段３８からスチーム電磁弁手段３９を通じてスチーム３口フィッティング連結手段４０に連結されてスチーム装置手段５５に連結される。４口フィッティング連結手段３８から電磁弁手段４３を通じてフィルター手段４４に連結され、必要によって自動開閉手段４５を通じてスチーム電磁弁手段４６と連結してスチーム装置手段５５に連結される。
【００１２】
スチーム３口フィッティング連結手段４０、スチーム３口フィッティング連結手段２９、スチーム３口フィッティング連結手段２１、スチーム３口フィッティング連結手段１３に連結されて電磁弁手段５０を通じて３口フィッティング連結手段５１からスチーム装置手段５５と連結され、スチーム装置手段５５は電気加熱手段によって電流量を少なくするとスチーム装置手段５５に流れる水は直ちに熱湯になって流れ、電流を多くして高い熱量を有するようにすれば直ちにスチームに変えることができる装置である。
【００１３】
スチーム装置手段５５は、加熱方式は抵抗線とも呼ばれる熱線に電流を流して加熱する方法と、スチーム装置手段５５の外部に電気誘導方式の高い周波数をかけて電気誘導方式で加熱することができることを明らかにしておく。スチーム装置手段５５は、３口フィッティング連結手段５６を経て電磁弁手段５７を通じて貯水筒手段５８に連結され、貯水筒手段５８の内部空間部５９に具備されている流入口６０に連結され、垂直ボールトップ手段６１で水の流れを制御することができる。内部空間部５９に設けられた流出口６２から３口フィッティング連結手段６３を経て冷水筒手段６５と温水筒手段７６も分けて連結され、冷水筒手段６５との間には電磁弁手段６４が連結されて具備することができる。
【００１４】
冷水筒手段６５は内部空間部６６で流入口６７から入って来る水を垂直ボールトップ手段６８で制御し、流出口６９を通じて電磁弁手段７０で制御されて水栓ノズル部７３から涼しい浄水された水を出して使用する。水栓ボタンスイッチ７１、水栓レバースイッチ７２を作動して、電磁弁手段７０を制御することができ、浄水器のコントロールによっても電磁弁手段７０を開閉することができることを明らかにしておく。内部空間部６６から流出口７４を通じて電磁弁手段７５に連結されて３口フィッティング連結手段８８を通じてスチーム装置手段５５の方向と廃水電磁弁手段９０を通じて廃水流出口４９と連結されている。
【００１５】
３口フィッティング連結手段６３から温水筒手段７６に連結されて、内部空間部７７の流入口７８に連結されて、垂直ボールトップ手段７９で制御され、流出口８０を通じて電磁弁手段８１で制御されて水栓ノズル部８４から温水を出して使うことができる。水栓ボタンスイッチ８２、水栓レバースイッチ８３の作動によって電磁弁手段８１を開いて温水を出すことができ、浄水器のコントロールによっても電磁弁手段８１を開閉することができることを明らかにしておく。内部空間部７７で流出口８５を通じて電磁弁手段８６を経て３口フィッティング連結手段８７で両方向に分けられて廃水流出口４９とも通じ、ポンプ手段８９と３口フィッティング連結手段５３を通じて電磁弁手段５２、電磁弁手段５４を経て何れの方向にもスチーム装置手段５５に連結されることを特徴とする。
【００１６】
貯水筒手段５８、冷水筒手段６５、温水筒手段７６の水は廃水流出口４９で直ちに水を出すことができ、スチーム装置手段５５に送ってスチームにすることができる。
【００１７】
上記で説明したフィルター手段９、フィルター手段２５、フィルター手段３３、フィルター手段４４は浄水器で用いる全てのフィルター手段を用いることができ、例えば、前処理沈澱フィルター、プリカーボンフィルター、中空糸膜フィルター、ポストカーボンフィルター、ＣＳＭフィルター、逆滲透圧フィルター、セディメントフィルター、ＧＡＣカーボンフィルター、ホワイトカーボンフィルター、中空糸膜Ｕ／Ｆフィルター、ＴＣＲフィルター、ＣＳＭ  Ｕ／Ｆフィルター、逆滲透圧（Ｒ／Ｏ）フィルター等が使われ、これらのフィルターは本発明で全部使われており、その他のフィルターも使われることができる。
【００１８】
本発明の浄水器のスチーム殺菌システムの駆動において、浄水作用の作動時間は２４時間の中の大部分の時間を占める一方、スチーム殺菌時間は２４時間の中の僅か数分乃至数十分内に終わる。従って、浄水作用の時間がほとんどの時間を占める。
【００１９】
本発明の浄水器のスチーム殺菌システムは、数多くの電磁弁手段を用い、すべての電磁弁手段のコイル部に電気を加えれば電気消耗が多くなって、一般家庭及び職場でも負担になる。従って、電磁弁手段の電気消耗を減らすために、用途に合わせて適用させて使わなければならない。電磁弁手段は、普通の時（ｎｏｒｍａｌ）閉められて（ｃｌｏｓｅｄ）いるか開かれて（ｏｐｅｎ）いる電磁弁手段がある。即ち、ｎｏ、ｎｃで表され、コイル部に電気が提供されなくて駆動されない普通の時開かれている電磁弁手段と閉まっている電磁弁手段に分けられる。
【００２０】
上述した理由から、本発明の浄水器のスチーム殺菌システムで浄水作用をする時には、次のような電磁弁手段は（ｎｃ）電磁弁手段として用いることができる。原水入水口５から流入された水が浄化されるためには、廃水電磁弁手段８、廃水電磁弁手段１４、廃水電磁弁手段２２、廃水電磁弁手段３０、廃水電磁弁手段４１、スチーム電磁弁手段１２、スチーム電磁弁手段２０、スチーム電磁弁手段２８、スチーム電磁弁手段３９、電磁弁手段５２、電磁弁手段５４、電磁弁手段８６、電磁弁手段７５、廃水電磁弁手段９０などで閉まり、以下に挙げる電磁弁手段は（ｎｏ）電磁弁手段として用いることができる。浄化の時、電磁弁手段６、電磁弁手段１０、電磁弁手段１６、電磁弁手段１８、電磁弁手段２４、電磁弁手段２６、電磁弁手段３２、電磁弁手段３７、電磁弁手段４３、スチーム電磁弁手段４６、電磁弁手段５０、電磁弁手段５７、電磁弁手段６４などは常に開かれている必要があり、開かれていれば原水入水口５から入水された水は電磁弁手段６、３口フィッティング連結手段７、フィルター手段９、電磁弁手段１０、４口フィッティング連結手段１１、電磁弁手段１６、入力ポンプ手段１７、電磁弁手段１８、４口フィッティング連結手段１９、電磁弁手段２４、フィルター手段２５、電磁弁手段２６、４口フィッティング連結手段２７、電磁弁手段３２、フィルター手段３３、チェックバルブ手段３５、圧力スィッチ手段３６、電磁弁手段３７、４口フィッティング連結手段３８、電磁弁手段４３、フィルター手段４４まで浄水されて自動開閉手段４５、スチーム電磁弁手段４６、スチーム３口フィッティング連結手段４０、スチーム３口フィッティング連結手段２９、スチーム３口フィッティング連結手段２１、スチーム３口フィッティング連結手段１３、電磁弁手段５０、３口フィッティング連結手段５１、スチーム装置手段５５、３口フィッティング連結手段５６、電磁弁手段５７を経て貯水筒手段５８に集まり、さらに冷水筒手段６５と温水筒手段７６に集まって目的したとおり冷水及び温水などで使われる。浄水駆動には、スチーム装置手段５５に電気を遮断させてスチームを作らないことにする。
【００２１】
上記のような方法で浄化をしている途中、使用者がプログラムしておいたスチーム殺菌時間になると、以下のような方法でスチーム殺菌する。電磁弁手段６を駆動させて閉まるようにして原水を遮断し、また電磁弁手段１０、電磁弁手段１８、電磁弁手段２６、電磁弁手段３７を駆動させて閉まるようにして廃水電磁弁手段４１を駆動させて開かれるようにして廃水流出口４９の方向に連結する。そして電磁弁手段５７を駆動させて閉まるようにしてスチームが貯水筒手段５８の方向に行くことを遮断し、スチーム装置手段５５を駆動させて加熱しながら電磁弁手段７５、電磁弁手段８６と電磁弁手段５４を駆動させて開かれるようにして貯水筒手段５８の内部空間部５９にある水と冷水筒手段６５の内部空間部６６の水と温水筒手段７６の内部空間部７７の水がスチーム装置手段５５に連結されるようにする。
【００２２】
ポンプ手段８９を駆動させると、貯水筒手段５８、冷水筒手段６５、温水筒手段７６の水がスチーム装置手段５５に浄化の時とは逆方向に入ってスチームに変化されて、３口フィッティング連結手段５１、電磁弁手段５０、スチーム３口フィッティング連結手段１３、スチーム３口フィッティング連結手段２１、スチーム３口フィッティング連結手段２９、スチーム３口フィッティング連結手段４０、スチーム電磁弁手段４６、自動開閉手段４５、フィルター手段４４に逆方向に流れて殺菌をする。特にフィルター手段４４を殺菌をすることはもちろん、フィルターに付着している異物まで逆方向に押し出して、電磁弁手段４３を経て４口フィッティング連結手段３８、廃水電磁弁手段４１、廃水３口フィッティング連結手段４２を経て殺菌しながら異物などを廃水流出口４９に押し出す。そして、フィルター手段４４の殺菌及び掃除が終わると、廃水電磁弁手段４１、電磁弁手段４３、スチーム電磁弁手段４６を閉め、廃水電磁弁手段３０、電磁弁手段３２、電磁弁手段３７、スチーム電磁弁手段３９を開いてスチーム３口フィッティング連結手段４０からスチームがスチーム電磁弁手段３９、４口フィッティング連結手段３８、電磁弁手段３７、圧力スィッチ手段３６、チェックバルブ手段３５、フィルター手段３３、電磁弁手段３２、４口フィッティング連結手段２７、廃水電磁弁手段３０、廃水３口フィッティング連結手段３１に連結されて、廃水流出口４９を殺菌しながら押し出す。特に、フィルター手段３３に逆方向にスチームが流れながら殺菌をすることはもちろん、異物まで廃水流出口４９に押し出してきれいに殺菌及び掃除をする。
【００２３】
フィルター手段３３の掃除が終わると、廃水電磁弁手段３０、電磁弁手段３２、スチーム電磁弁手段３９を閉め、廃水電磁弁手段２２、電磁弁手段２４、電磁弁手段２６、スチーム電磁弁手段２８を開いて、スチーム３口フィッティング連結手段２９からスチームがスチーム電磁弁手段２８、４口フィッティング連結手段２７、電磁弁手段２６、フィルター手段２５、電磁弁手段２４、４口フィッティング連結手段１９、廃水電磁弁手段２２、廃水３口フィッティング連結手段２３に連結されて廃水流出口４９まで逆方向に押し出すことができるように連結され、特にスチームがフィルター手段２５を逆方向に通りながら殺菌をし、同時に異物まで押し出してきれいに殺菌及び掃除をする。
【００２４】
フィルター手段２５の掃除が終わると、廃水電磁弁手段２２、電磁弁手段２４、スチーム電磁弁手段２８を閉め、廃水電磁弁手段１４、電磁弁手段１６、電磁弁手段１８、スチーム電磁弁手段２０を開いてスチーム３口フィッティング連結手段２１からスチームが入るようにして、スチーム電磁弁手段２０、４口フィッティング連結手段１９、電磁弁手段１８、入力ポンプ手段１７、電磁弁手段１６、４口フィッティング連結手段１１、廃水電磁弁手段１４、廃水３口フィッティング連結手段１５、廃水流出口４９に連結されて逆方向に殺菌しながら、廃水流出口４９に押し出す。特に入力ポンプ手段１７及びそのラインのスチーム殺菌が確実に行われることができる。
【００２５】
掃除が終わると廃水電磁弁手段１４、電磁弁手段１６、スチーム電磁弁手段２０を閉め、廃水電磁弁手段８、電磁弁手段１０、スチーム電磁弁手段１２を開いてスチームがスチーム３口フィッティング連結手段１３からスチーム電磁弁手段１２、４口フィッティング連結手段１１、電磁弁手段１０、フィルター手段９、３口フィッティング連結手段７、廃水電磁弁手段８、廃水３口フィッティング連結手段１５、廃水流出口４９に連結され、逆方向にスチームが流れて殺菌及び掃除をすることができ、特にフィルター手段９の殺菌はもちろん異物まで除去することができるという利点がある。即ち、フィルター手段９、フィルター手段２５、フィルター手段３３、フィルター手段４４のように細菌が繁殖しやすく、異物が付きやすい環境を確実に殺菌することはもちろん、逆方向に異物を押し出す画期的な技術を有する。場合によっては、入力ポンプ手段１７のように浄化水と接触面が多くて細菌が繁殖する構成品も同じ方式で逆方向に殺菌及び異物を除去することができる。
【００２６】
上記のように、各フィルターラインの殺菌及び掃除作業が終わると、電磁弁手段５０、電磁弁手段５４を閉め、電磁弁手段５２、電磁弁手段５７を開いてスチームがフィルターライン方向には遮られ、スチーム装置手段５５から３口フィッティング連結手段５６、電磁弁手段５７に流れて貯水筒手段５８に流れるようにする。この時、内部空間部５９に水がないとき殺菌効果が大きいので、フィルターラインを掃除しながら水が消耗されるかまたは水が消耗されなかった時には、少なくとも温水筒手段７６のみに水を少し残して、貯水筒手段５８、冷水筒手段６５には水を全部取り出す作業を先に行わなければならない。水を全部出すためには電磁弁手段６４、電磁弁手段７５、廃水電磁弁手段９０を開いて廃水流出口４９から出るようにし、内部空間部５９と、内部空間部６６を空けてスチームで殺菌ができるようにし、この時、電磁弁手段７０を開いて水栓ノズル部７３からスチームが出ながら殺菌ができる。そして上記のような方法でスチーム殺菌及び掃除をした後、必要によってそのまま浄化モードに変えて使うことができるが、スチーム装置手段５５の温度を低くしてスチームではない熱湯で上記のような方法で再び掃除をすることができるようにするか、またはスチーム掃除ではない最初から熱湯で殺菌及び掃除をすることができる。
【００２７】
温水筒手段７６は熱湯を作って保管する手段であるので、細菌が繁殖することが難しく、殺菌をする必要はないが、必要によって電磁弁手段８１、電磁弁手段８６を開いて少し残っている水を出しながらスチームが水栓ノズル部８４から抜け出、３口フィッティング連結手段８７からも抜け出るようにして、殺菌及び掃除をすることができる。
【００２８】
殺菌及び掃除が全て終わると、上記の一番初めに説明した浄水器使用例のように、各電磁弁手段を開いたり閉めて浄水モードに変えて浄水器として使えば良い。上述した浄化駆動、殺菌及び掃除駆動はコントロールボックスのコントロールによって自動的に行われ、使用者はただ殺菌及び浄水時間帯を入力したり、または必要な時間にボタンを押すことで行うことができる。
【００２９】
図２は図１と構成が同じであり、ただスチーム装置手段５５の代わりに浄水器の温水筒手段７６の熱湯で殺菌及び掃除をするかまたは温水筒手段７６の温度を高めてスチームで殺菌及び掃除をすることができる構成で、その使い方は図１の説明と同じであるか類似しているのでその実施形態の説明を省略する。また、スチーム装置手段５５の代わりに温水筒手段７６を別途に追加して設置することによっても浄水器のスチーム殺菌システムを構成することができることを明らかにしておく。
【００３０】
上述したフィルター手段の中で逆方向に遮断されるフィルターは順方向のみにスチームを送って殺菌をすることができ、スチーム装置手段５５は必要によって原水入水口５に設置されて、浄化ラインに沿って逆方向ではない順方向にスチームを送って各構成品を殺菌することができることを明らかにしておく。
【００３１】
本出願の図面に示していないが、スチーム装置手段５５の両側にスチームの圧力を感知して適正以上の圧力が印加されると感知してスチーム装置手段５５の電気システムを制御することができる圧力センサー及び／またはチェックバルブを具備することができ、場合によっては各フィルター手段の間にも具備することができることを明らかにしておく。
【符号の説明】
【００３２】
５  原水入水口
６  電磁弁手段
７  ３口フィッティング連結手段
８  廃水電磁弁手段
９  フィルター手段
１０  電磁弁手段
１１  ４口フィッティング連結手段
１２  スチーム電磁弁手段
１３  スチーム３口フィッティング連結手段
１４  廃水電磁弁手段
１５  廃水３口フィッティング連結手段
１６  電磁弁手段
１７  入力ポンプ手段
１８  電磁弁手段
１９  ４口フィッティング連結手段
２０  スチーム電磁弁手段
２１  スチーム３口フィッティング連結手段
２２  廃水電磁弁手段
２３  廃水３口フィッティング連結手段
２４  電磁弁手段
２５  フィルター手段
２６  電磁弁手段
２７  ４口フィッティング連結手段
２８  スチーム電磁弁手段
２９  スチーム３口フィッティング連結手段
３０  廃水電磁弁手段
３１  廃水３口フィッティング連結手段
３２  電磁弁手段
３３  フィルター手段
３５  チェックバルブ手段
３６  圧力スィッチ手段
３７  電磁弁手段
３８  ４口フィッティング連結手段
３９  スチーム電磁弁手段
４０  スチーム３口フィッティング連結手段
４１  廃水電磁弁手段
４２  廃水３口フィッティング連結手段
４３  電磁弁手段
４４  フィルター手段
４５  自動開閉手段
４６  スチーム電磁弁手段
４７  廃水３口フィッティング連結手段
４８  廃水抵抗手段
４９  廃水流出口
５０  電磁弁手段
５１  ３口フィッティング連結手段
５２  電磁弁手段
５３  ３口フィッティング連結手段
５４  電磁弁手段
５５  スチーム装置手段
５６  ３口フィッティング連結手段
５７  電磁弁手段
５８  貯水筒手段
５９  内部空間部
６０  流入口
６１  垂直ボールトップ手段
６２  流出口
６３  ３口フィッティング連結手段
６４  電磁弁手段
６５  冷水筒手段
６６  内部空間部
６７  流入口
６８  垂直ボールトップ手段
６９  流出口
７０  電磁弁手段
７１  水栓ボタンスイッチ
７２  水栓レバースイッチ
７３  水栓ノズル部
７４  流出口
７５  電磁弁手段
７６  温水筒手段
７７  内部空間部
７８  流入口
７９  垂直ボールトップ手段
８０  流出口
８１  電磁弁手段
８２  水栓ボタンスイッチ
８３  水栓レバースイッチ
８４  水栓ノズル部
８５  流出口
８６  電磁弁手段
８７  ３口フィッティング連結手段
８８  ３口フィッティング連結手段
８９  ポンプ手段
９０  廃水電磁弁手段
１００  浄水器ホース手段
【図１】
2012529337.tif 000003
【図２】
2012529337.tif 000004
【国際調査報告】
2012529337.tif 000005
2012529337.tif 000006
2012529337.tif 000007
2012529337.tif 000008